(57)【特許請求の範囲】
【請求項１】
文字列で表される評価対象を入力する評価対象入力部と、
文の集合から前記評価対象とは異なる比較対象に関して、肯定評価を表す表現が含まれる第１文を特定する肯定評価表現特定部と、
前記第１文または前記第１文の前後の第２文から、前記評価対象および、前記比較対象に関する肯定評価に対応する否定評価を表す表現を特定する否定評価表現特定部と、
前記肯定評価，前記評価対象および前記否定評価が含まれている第１文、または、前記肯定評価が含まれる第１文と前記評価対象および前記否定評価が含まれている第２文とからなる連続する２文を抽出する不満文抽出部と
を備えることを特徴とする不満抽出装置。
【請求項２】
請求項１記載の不満抽出装置において、
前記第１文に含まれる肯定評価の前後に逆接を表す表現があるか、または、前記第２文に含まれる否定評価の前後に逆接を表す表現があるかを確認する逆接表現確認部
を更に備え、
前記不満文抽出部は、前記逆接表現確認部が逆接表現を確認したとき、前記肯定評価，前記評価対象および前記否定評価が含まれている第１文、または、前記肯定評価が含まれる第１文と前記評価対象および前記否定評価が含まれている第２文とからなる連続する２文を抽出する
ことを特徴とする不満抽出装置。
【請求項３】
請求項１または請求項２に記載の不満抽出装置において、
前記評価対象の上位語を特定し、該上位語の下位語を前記比較対象と特定する比較対象特定部
を更に備えることを特徴とする不満抽出装置。
【請求項４】
請求項１または請求項２に記載の不満抽出装置において、
文字列で表される前記比較対象を入力する比較対象入力部
を更に備えることを特徴とする不満抽出装置。
【請求項５】
文字列で表される評価対象を入力する評価対象入力部と、
文の集合から前記評価対象とは異なる比較対象のみに関して、肯定評価を表す表現が含まれる第１文を特定する肯定評価表現特定部と、
前記第１文に含まれる肯定評価の前後に逆接を表す表現があるか、または、前記第１文の前後の第２文に逆接を表す表現があるかを確認し、逆接表現を抽出する逆接表現抽出部と、
前記肯定評価，前記評価対象および前記逆接表現が含まれている第１文、または、前記肯定評価が含まれる第１文と前記評価対象および前記逆接表現が含まれている第２文とからなる連続する２文、または、前記肯定評価および前記逆接表現が含まれる第１文と前記評価対象が含まれている第２文とからなる連続する２文を抽出する不満文抽出部と
を備えることを特徴とする不満抽出装置。
【請求項６】
評価対象に関する文の集合から前記評価対象とは異なる比較対象のみに関して、肯定評価を表す表現が含まれる第１文を特定する肯定評価表現特定部と、
前記第１文に含まれる肯定評価の前後に逆接を表す表現があるか、または、前記第１文の前後の第２文に逆接を表す表現があるかを確認し、逆接表現を抽出する逆接表現抽出部と、
前記肯定評価および前記逆接表現が含まれている第１文、または、前記肯定評価が含まれる第１文と前記逆接表現が含まれている第２文とからなる連続する２文を抽出する不満文抽出部と
を備えることを特徴とする不満抽出装置。
【請求項７】
文字列で表される評価対象を入力する評価対象入力部と、
文の集合から前記評価対象とは異なる比較対象に関して、肯定評価を表す表現が含まれる第１文を特定する肯定評価表現特定部と、
前記第１文または前記第１文の前後の第２文から、前記評価対象および、前記比較対象に関する肯定評価に対応する否定評価を表す表現を特定する否定評価表現特定部と、
前記肯定評価，前記評価対象および前記否定評価が含まれている第１文、または、前記肯定評価が含まれる第１文と前記評価対象および前記否定評価が含まれている第２文とからなる連続する２文を抽出する不満文抽出部と
を備える不満抽出装置を用いる不満抽出方法であって、
前記評価対象入力部が、文字列で表される評価対象を入力する、評価対象入力ステップと、
前記肯定評価表現特定部が、文の集合から前記評価対象とは異なる比較対象に関して、肯定評価を表す表現が含まれる第１文を特定する、肯定評価表現特定部ステップと、
前記否定評価表現特定部が、前記第１文または前記第１文の前後の第２文から、前記評価対象および、前記比較対象に関する肯定評価に対応する否定評価を表す表現を特定する否定評価表現特定ステップと、
前記不満文抽出部が、前記肯定評価，前記評価対象および前記否定評価が含まれている第１文、または、前記肯定評価が含まれる第１文と前記評価対象および前記否定評価が含まれている第２文とからなる連続する２文を抽出する不満文抽出ステップと
を備えることを特徴とする不満抽出方法。
【請求項８】
文字列で表される評価対象を入力する評価対象入力部と、
文の集合から前記評価対象とは異なる比較対象に関して、肯定評価を表す表現が含まれる第１文を特定する肯定評価表現特定部と、
前記第１文または前記第１文の前後の第２文から、前記評価対象および、前記比較対象に関する肯定評価に対応する否定評価を表す表現を特定する否定評価表現特定部と、
前記肯定評価，前記評価対象および前記否定評価が含まれている第１文、または、前記肯定評価が含まれる第１文と前記評価対象および前記否定評価が含まれている第２文とか
らなる連続する２文を抽出する不満文抽出部と
を備える不満抽出装置に情報処理を実行させる不満抽出プログラムであって、
前記評価対象入力部が、文字列で表される評価対象を入力する、評価対象入力処理と、
前記肯定評価表現特定部が、文の集合から前記評価対象とは異なる比較対象に関して、肯定評価を表す表現が含まれる第１文を特定する、肯定評価表現特定部処理と、
前記否定評価表現特定部が、前記第１文または前記第１文の前後の第２文から、前記評価対象および、前記比較対象に関する肯定評価に対応する否定評価を表す表現を特定する否定評価表現特定処理と、
前記不満文抽出部が、前記肯定評価，前記評価対象および前記否定評価が含まれている第１文、または、前記肯定評価が含まれる第１文と前記評価対象および前記否定評価が含まれている第２文とからなる連続する２文を抽出する不満文抽出処理と
を前記不満抽出装置に実行させることを特徴とする不満抽出プログラム。
【発明の詳細な説明】
【技術分野】
【０００１】
不満抽出装置，不満抽出方法およびプログラムに係り、ブログやインターネット掲示板のような、評価対象製品の使用者によって書かれた文書の中から、評価対象製品の改善に直接有用な不満を抽出することのできる不満抽出装置，方法およびプログラムに関する。
【背景技術】
【０００２】
近年、製品の購入者や使用者が、ブログやインターネット掲示板などで、購入製品や使用製品に関する事実や意見を大量に発信するようになってきた。このような購入者や使用者が製品に対して持った意見には、「使いやすくて良い」などの肯定的意見から「画面が暗くて見にくい」などの否定的意見（不満）まで、様々な意見がある。
【０００３】
不満の中にも、「携帯電話Ａは使えない」といった愚痴レベルの不満から、「携帯電話Ａには機能αがあるのに、携帯電話Ｂに機能αがないのはおかしい」などの製品の改善に直接有用な不満まで、様々な不満が含まれている。
【０００４】
すなわち、「携帯電話Ａは使えない」という不満では、製品開発者はどの点を改善すればよいのか分からない。一方、「携帯電話Ａには機能αがあるのに、携帯電話Ｂに機能αがないのはおかしい」という不満から、携帯電話Ｂの開発者は、携帯電話Ｂに機能αを追加することを検討できる。機能αは携帯電話Ａにおいて実現されており、携帯電話Ｂに機能αを追加することに技術的な課題はほとんどない。
【０００５】
この様に、評価対象製品の改善に直接有用な不満を抽出することができれば、製品開発者は、製品開発に直ちにフィードバックすることができる。
【０００６】
また、使用者の不満ではないが、例えば、携帯電話Ｃが発売された後に発売された新製品の携帯電話Ｄを使用している使用者は、「携帯電話Ｄの操作性は良いけど、携帯電話Ｃはダメ」などの自慢をする場合がある。この場合、携帯電話Ｃが携帯電話Ｄより劣っている点（操作性）は、携帯電話Ｃの使用者の不満とみなせる。
【０００７】
以下、評価対象製品の改善に直接有用な不満と、有用でない不満とその理由について例示する。
○評価対象製品の改善に直接有用な不満の例：
「パソコン用音楽再生ソフトで再生できるのに、ポータブルオーディオに取り込むと再生できない。」
「Ｇ社製スマートフォンＯＳでフリック入力できるが、Ａ社製スマートフォンＯＳではＱＷＥＲＴＹ入力できないのが残念。」
「Ｂ社製スマートフォン（型番０３）の液晶画面は綺麗だが、Ａ社製スマートフォン（型番４）は汚い。」
○評価対象製品の改善に直接有用な不満でない例とその理由：
「2日目に正常に充電できなくなり、赤いランプが点滅状態になった。」（理由：事実のみで、意見ではない。）
「使い物にならないスイング設定はとても残念。」（理由：どうなれば使い物になるかわからないので、製品開発にフィードバックできない。）
「画面の自動リフレッシュができるようになったらいいのになぁ。」（要望であり、実現可能か技術的課題の検討が必要である。）
【０００８】
ところで、従来技術として、いくつかの不満抽出装置が提案されている。
【０００９】
特許文献1の情報処理装置（不満抽出装置）は、様々な不満の中から、他のサービス（例えば、Ｑ＆Ａサイト）に利用可能な不満として、デメリットや不利益な出来事に関する不満を見分けて抽出する。
【００１０】
特許文献1の情報処理装置は、文書データベースから文書を取得し、改善動作を表す語を抽出し、文書集合データベースから取得した文書から該改善動作の対象を抽出し、該改善動作を表す語と該改善動作の対象を表す語の共起頻度を求め、改善動作を表す語と改善動作の対象を表す語の共起頻度を取得し、該改善動作の対象の語を否定、中立、肯定のいずれかの評価極性に分類し、否定的な改善動作の対象を現す語を不満として出力する。
【００１１】
さらに、Ｑ＆Ａサイトにユーザより投稿された質問を取得し、該質問の中から不満に一致する語を含む質問を選択し、不満に一致する語を含む質問を取得し、Ｑ＆Ａサイトから該質問に対応する回答を取得して、推薦ページとして出力する。
【００１２】
具体的には、まず、商品の効果を説明する際に記述される「この商品は、運動不足を解消してくれます」などの説明文から、改善動作を表す語「解消」と否定的動作対象を表す語「運動不足」と利益を表すモダリティを表す語「解消してくれます」の3つを抜き出す。
【００１３】
次に、文書集合を用いて、動作を表す語と動作の対象を表す語の共起頻度と、動作を表す語と利益を表すモダリティを表す語の共起頻度を求め、２つの共起頻度の積が大きい動作を改善動作として抽出する。
【００１４】
その後、文書集合から、抽出した改善動作の対象を特定し、改善動作と改善動作の対象の共起頻度から改善動作の対象の極性を判定し、最後に、極性が否定の改善動作の対象を「不満」として抽出する。
【００１５】
ユーザが記述したテキストから不満と一致する語を抽出し、Ｑ＆Ａサイトに投稿された質問の中から不満を含む質問を選択し、その質問に紐付く回答をユーザに提示する。
【００１６】
特許文献２の比較評価検出装置は、複数の対象を比較し、それらに認められる異同や優劣について述べた比較評価を表明する文字列から構成された比較評価表明箇所を検出する。
【００１７】
特許文献２の比較評価検出装置は、予め、比較評価表明箇所を抽出するパターンを格納しておく。次に、テキストを取得し、特定の単位の文字列に区切り、その文字列毎に形態素解析を行い、形態素解析結果を取得する。そして、前記形態素解析結果と前記抽出パターンを照合する。そして、前記対象を示す文字列、該対象を相対的に評価する際の比較対象を示す文字列、該対象を評価する際に着目している属性を示す文字列、該対象に関する評価の程度を示す文字列、該対象に関する評価を示す文字列、のいずれかを含む組み合わせを比較評価表明箇所として検出する。
【先行技術文献】
【特許文献】
【００１８】
【特許文献１】特開２０１０‐２０４８６５号公報
【特許文献２】特開２００８‐２０９９７８号公報
【発明の概要】
【発明が解決しようとする課題】
【００１９】
上記従来技術には、以下のような課題があった。
【００２０】
特許文献１の情報処理装置は、商品の効果の説明をする文から改善動作を表す語を基に不満を抽出しており、商品を開発した企業が狙った効果に対する不満を抽出することはできるが、ブログやインターネット掲示板などの購入者や使用者の視点に基づいて書かれた文書から評価対象製品の改善に直接有用な不満を抽出することは難しかった。
【００２１】
例えば、ある携帯電話に対して、購入者や使用者が「同じメーカが作っているけど、携帯電話Ａではゲームがプレイできるのに、携帯電話Ｂではゲームがプレイできない」という不満をブログやインターネット掲示板などに書いたとしても、携帯電話に対して「ゲームのプレイが可能です」などの説明が商品の効果として書かれていない場合、購入者や使用者が書いた評価対象製品の改善に直接有用な不満を抽出することはできない。
【００２２】
特許文献２の比較評価検出装置は、「液晶テレビの画質はブラウン管の画質よりとても良い。」など、ある評価軸の中で複数の対象間を相対的に比較する場合には有効だが、絶対評価が難しかった。すなわち、特許文献２の比較評価検出装置は、「携帯電話Ｄの操作性は、携帯電話Ｃよりはまだ良い。」といった文も検出する。「携帯電話Ｄの操作性は、携帯電話Ｃよりはまだ良い。」の表現には、言外に、「使用者は、携帯電話Ｃの操作性も携帯電話Ｄの操作性も満足できる基準を超えていないと考えている。」との前提が含まれている。
【００２３】
一方、「Ｂ社製スマートフォン（型番０３）の液晶画面は綺麗だが、Ａ社製スマートフォン（型番４）は汚い。」との表現には、「使用者は、Ｂ社製スマートフォン（型番０３）の液晶画面については基準を超えていると考えているが、Ａ社製スマートフォン（型番４）の液晶画面については基準を超えていないと考えている。」との使用者の基準に基づく絶対評価が含まれている。
【００２４】
しかし、「携帯電話Ｄの操作性は、携帯電話Ｃよりはまだ良い。」といった相対評価では、使用者が満足できる基準が判らないため、製品開発者はどの程度改善すればよいのか判断できない。
【００２５】
本発明は上記課題を解決するものであり、ブログやインターネット掲示板のような、評価対象製品の使用者によって書かれた文書の中から、評価対象製品の改善に直接有用な不満を抽出することのできる不満抽出装置，方法およびプログラムを提供することを目的とする。
【課題を解決するための手段】
【００２６】
上記課題を解決する本発明は、文字列で表される評価対象を入力する評価対象入力部と、文の集合から前記評価対象とは異なる比較対象に関して、肯定評価を表す表現が含まれる第１文を特定する肯定評価表現特定部と、前記第１文または前記第１文の前後の第２文から、前記評価対象および、前記比較対象に関する肯定評価に対応する否定評価を表す表現を特定する否定評価表現特定部と、前記肯定評価，前記評価対象および前記否定評価が含まれている第１文、または、前記肯定評価が含まれる第１文と前記評価対象および前記否定評価が含まれている第２文とからなる連続する２文を抽出する不満文抽出部とを備えることを特徴とする不満抽出装置である。
【００２７】
このように構成された不満抽出装置により、比較対象の肯定評価と評価対象の否定評価が対比表現で記載された不満文を抽出できる。不満文には、「使用者は、比較対象については基準を超えていると考えているが、評価対象については基準を超えていないと考えている」との絶対評価が黙示的に記載されている。
【００２８】
すなわち、製品開発者は、比較対象で肯定評価された諸機能を評価対象に付加すれば、使用者の満足する基準を超える改善をすることができる。当該機能は比較対象である比較対象において既に実現しており、評価対象に当該機能を追加することに技術的な課題はほとんどない。
【００２９】
このように、製品開発者は、使用者の不満を製品改善および新製品開発に直ちにフィードバックすることができる。
【００３０】
本発明の不満抽出装置において、さらに好ましくは、前記第１文に含まれる肯定評価の前後に逆接を表す表現があるか、または、前記第２文に含まれる否定評価の前後に逆接を表す表現があるかを確認する逆接表現確認部を更に備え、前記不満文抽出部は、前記逆接表現確認部が逆接表現を確認したとき、前記肯定評価，前記評価対象および前記否定評価が含まれている第１文、または、前記肯定評価が含まれる第１文と前記評価対象および前記否定評価が含まれている第２文とからなる連続する２文を抽出する。
【００３１】
これにより、比較対象の肯定評価と評価対象の否定評価との対比表現からなる不満文を、より精度よく抽出できる。
【００３２】
本発明の不満抽出装置において、さらに好ましくは、前記評価対象の上位語を特定し、該上位語の下位語を前記比較対象と特定する比較対象特定部を更に備える。
【００３３】
本発明の不満抽出装置において、さらに好ましくは、文字列で表される前記比較対象を入力する比較対象入力部を更に備える。
【００３４】
上記課題を解決する本発明は、文字列で表される評価対象を入力する評価対象入力部と、文の集合から前記評価対象とは異なる比較対象のみに関して、肯定評価を表す表現が含まれる第１文を特定する肯定評価表現特定部と、前記第１文に含まれる肯定評価の前後に逆接を表す表現があるか、または、前記第１文の前後の第２文に逆接を表す表現があるかを確認し、逆接表現を抽出する逆接表現抽出部と、前記肯定評価，前記評価対象および前記逆接表現が含まれている第１文、または、前記肯定評価が含まれる第１文と前記評価対象および前記逆接表現が含まれている第２文とからなる連続する２文、または、前記肯定評価および前記逆接表現が含まれる第１文と前記評価対象が含まれている第２文とからなる連続する２文を抽出する不満文抽出部とを備えることを特徴とする不満抽出装置である。
【００３５】
このように構成された不満抽出装置は、比較対象の肯定評価と評価対象と逆接表現とが記載された不満文を抽出することにより、比較対象の肯定評価の前後に共起する評価対象の否定評価を推測する。すなわち、抽出された不満文は、比較対象の肯定評価と評価対象の否定評価が対比表現で記載されている可能性が高い。
【００３６】
上記課題を解決する本発明は、評価対象に関する文の集合から前記評価対象とは異なる比較対象のみに関して、肯定評価を表す表現が含まれる第１文を特定する肯定評価表現特定部と、前記第１文に含まれる肯定評価の前後に逆接を表す表現があるか、または、前記第１文の前後の第２文に逆接を表す表現があるかを確認し、逆接表現を抽出する逆接表現抽出部と、前記肯定評価および前記逆接表現が含まれている第１文、または、前記肯定評価が含まれる第１文と前記逆接表現が含まれている第２文とからなる連続する２文を抽出する不満文抽出部とを備えることを特徴とする不満抽出装置である。
【００３７】
文の集合が評価対象に関する話題であることが前提であるため、文中に評価対象が省略されていても、評価対象製品の改善に直接有用な不満文を抽出できる。
【００３８】
上記課題を解決する本発明は、不満抽出装置が、文字列で表される評価対象を入力する、評価対象入力ステップと、前記不満抽出装置が、文の集合から前記評価対象とは異なる比較対象に関して、肯定評価を表す表現が含まれる第１文を特定する、肯定評価表現特定部ステップと、前記不満抽出装置が、前記第１文または前記第１文の前後の第２文から、前記評価対象および、前記比較対象に関する肯定評価に対応する否定評価を表す表現を特定する否定評価表現特定ステップと、前記不満抽出装置が、前記肯定評価，前記評価対象および前記否定評価が含まれている第１文、または、前記肯定評価が含まれる第１文と前記評価対象および前記否定評価が含まれている第２文とからなる連続する２文を抽出する不満文抽出ステップとを備えることを特徴とする不満抽出方法である。
【００３９】
上記課題を解決する本発明は、文字列で表される評価対象を入力する、評価対象入力処理と、文の集合から前記評価対象とは異なる比較対象に関して、肯定評価を表す表現が含まれる第１文を特定する、肯定評価表現特定部処理と、前記第１文または前記第１文の前後の第２文から、前記評価対象および、前記比較対象に関する肯定評価に対応する否定評価を表す表現を特定する否定評価表現特定処理と、前記肯定評価，前記評価対象および前記否定評価が含まれている第１文、または、前記肯定評価が含まれる第１文と前記評価対象および前記否定評価が含まれている第２文とからなる連続する２文を抽出する不満文抽出処理とを不満抽出装置に実行させることを特徴とする不満抽出プログラムである。
【発明の効果】
【００４０】
本発明によれば、ブログやインターネット掲示板のような、評価対象製品の使用者によって書かれた文書の中から、評価対象製品の改善に直接有用な不満を抽出することができる。製品開発者は、抽出した不満を製品開発に直ちにフィードバックすることができる。
【図面の簡単な説明】
【００４１】
【図１】不満抽出装置の機能ブロック図（第１実施形態）
【図２】不満抽出装置の処置内容を示すフローチャート（第１実施形態）
【図３】不満抽出装置の機能ブロック図（第１変形例）
【図４】不満抽出装置の処置内容を示すフローチャート（第１変形例）
【図５】上位下位関係辞書の構造
【図６】不満抽出装置の機能ブロック図（第２変形例）
【図７】不満抽出装置の処置内容を示すフローチャート（第２変形例）
【図８】不満抽出装置の機能ブロック図（第２実施形態）
【図９】不満抽出装置の処置内容を示すフローチャート（第２実施形態）
【図１０】不満抽出装置の機能ブロック図（第３実施形態）
【図１１】不満抽出装置の処置内容を示すフローチャート（第３実施形態）
【発明を実施するための形態】
【００４２】
＜第１実施形態＞
〜構成〜
第１実施形態の構成について説明する。図１は、第１実施形態に係る不満抽出装置の機能ブロック図である。不満抽出装置は、文の集合を取得して格納する文集合取得部１０１と、改善する製品である評価対象を文字列として入力する評価対象入力部１０２と、評価対象に対応する比較対象を入力する比較対象入力部１０３と、比較対象に関する肯定評価を表す表現が含まれる文（第１文）を特定する肯定評価表現特定部１０４と、第１文、または、第１文の前後の文（第２文）から、評価対象および、肯定評価に対応する否定評価を表す表現を特定する否定評価表現特定部１０５と、肯定評価，評価対象および否定評価が含まれている第１文、または、肯定評価が含まれる第１文と評価対象および否定評価が含まれている第２文とからなる連続する２文を抽出する不満文抽出部１０６と、抽出された不満文を格納する不満記憶部１０７を備えている。
【００４３】
文集合取得部１０１は、対象製品の購入者や使用者によって書かれた、ブログやインターネット掲示板や口コミサイトなどから、文の集合を取得し、格納する。
【００４４】
評価対象入力部１０２は、キーボードなどにより入力された文字列を評価対象として入力する。本実施形態では、一例として「Ａ社製スマートフォン（型番４）」を評価対象とする。
【００４５】
比較対象入力部１０３は、キーボードなどにより入力された文字列を比較対象として入力する。本実施形態では、たとえば、「Ｂ社製スマートフォン（型番０３）」や「Ｃ社製スマートフォン（型番Ｘ）」を比較対象とする。
【００４６】
肯定評価表現特定部１０４は、文集合取得部１０１に格納された文の集合から、比較対象に関する肯定評価を表す表現が含まれる文（第１文）を特定する。肯定評価か否かは、肯定評価表現辞書１０８を参照して、判定する。
【００４７】
たとえば、以下の（ａ１），（ｂ１），（ｃ１），（ｄ１），（ｅ１），（ｆ１），（ｇ１）の各文を含む文の集合を想定する。比較対象を＜  ＞で、肯定評価を表す表現を〔  〕で示す。
（ａ１）＜Ｂ社製スマートフォン（型番０３）＞の場合、電子マネー機能を〔使うことができる〕が、Ａ社製スマートフォン（型番４）では電子マネー機能を使うことができない。
（ｂ１）＜Ｂ社製スマートフォン（型番０３）＞のようにＦＭ送信機能を〔利用できる〕のだが、Ａ社製スマートフォン（型番４）ではＦＭ送信機能を利用できない。
（ｃ１）Ａ社製スマートフォン（型番４）は汚いが、＜Ｂ社製スマートフォン（型番０３）＞は画面が〔綺麗〕。
（ｄ１）＜Ｃ社製スマートフォン（型番Ｘ）＞では音楽ファイルを〔再生できる〕。Ａ社製スマートフォン（型番４）では再生できない。
（ｅ１）＜Ｃ社製スマートフォン（型番Ｘ）＞のデザインは〔未来的〕である。一方、Ａ社製スマートフォン（型番４）はシンプルです。
（ｆ１）Ａ社製スマートフォン（型番４）の操作性は〔良い〕のだが、＜Ｃ社製スマートフォン（型番Ｘ）＞の操作性は悪い。
（ｇ１）Ａ社製スマートフォン（型番４）って使えないよね。
【００４８】
すなわち、肯定評価表現特定部１０４は、（ａ１），（ｂ１），（ｃ１），（ｄ１）の前半，（ｅ１）を比較対象に関する肯定評価を表す表現が含まれる文（第１文）として特定する。
【００４９】
なお、（ｆ１）においては、評価対象が肯定評価され、比較対象が否定評価されているため、（ｆ１）は除外される。（ｇ１）においては、比較対象がないため、（ｇ１）は除外される。
【００５０】
否定評価表現特定部１０５は、第１文、または、第１文の前後の文（第２文）から、評価対象および、肯定評価に対応する否定評価を表す表現を特定する。否定評価か否かは、否定評価表現辞書１０９を参照して、判定する。
【００５１】
たとえば、上記特定された（ａ１），（ｂ１），（ｃ１），（ｄ１），（ｅ１）の各文を想定する。評価対象を＜  ＞で、否定評価を表す表現を〔  〕で示す。
（ａ１）Ｂ社製スマートフォン（型番０３）の場合、電子マネー機能を使うことができるが、＜Ａ社製スマートフォン（型番４）＞では電子マネー機能を〔使うことができない〕。
（ｂ１）Ｂ社製スマートフォン（型番０３）のようにＦＭ送信機能を利用できるのだが、＜Ａ社製スマートフォン（型番４）＞ではＦＭ送信機能を〔利用できない〕。
（ｃ１）＜Ａ社製スマートフォン（型番４）＞は〔汚い〕が、Ｂ社製スマートフォン（型番０３）は画面が綺麗。
（ｄ１）Ｃ社製スマートフォン（型番Ｘ）では音楽ファイルを再生できる。＜Ａ社製スマートフォン（型番４）＞では〔再生できない〕。
（ｅ１）Ｃ社製スマートフォン（型番Ｘ）のデザインは未来的である。一方、＜Ａ社製スマートフォン（型番４）＞はシンプルです。
【００５２】
すなわち、肯定評価表現特定部１０４は、第１文である（ａ１），（ｂ１），（ｃ１）、および、（ｄ１）の後半である第２文から、評価対象および否定評価を表す表現を特定する。
【００５３】
なお、（ｅ１）においては、「シンプル」の表現が否定評価でないので、（ｅ１）は除外される。
【００５４】
不満文抽出部１０６は、肯定評価，評価対象および否定評価が含まれている（ａ１），（ｂ１），（ｃ１）の各文、および、肯定評価が含まれる第１文と評価対象および否定評価が含まれている第２文とからなる連続する２文（ｄ１）を不満文として抽出する。
【００５５】
不満記憶部１０７は、不満文（ａ１），（ｂ１），（ｃ１），（ｄ１）を格納する。
【００５６】
製品の開発者は、不満記憶部１０７にアクセスし、不満を参照することによって、製品改善に直ちにフィードバックする。
【００５７】
〜動作〜
図２は、不満抽出装置の処置内容を示すフローチャートである。フローチャートを用いて、不満抽出装置の動作を説明する。
【００５８】
まず、対象製品の購入者や使用者によって書かれた、ブログやインターネット掲示板や口コミサイトなどから、文の集合を取得し、格納する（ステップ１）。たとえば、上記（ａ１），（ｂ１），（ｃ１），（ｄ１），（ｅ１），（ｆ１），（ｇ１）の各文を含む文の集合を取得する。
【００５９】
一方、キーボードなどにより入力された文字列を評価対象として入力する（ステップ２）。たとえば、評価対象として「Ａ社製スマートフォン（型番４）」を入力する。また、キーボードなどにより入力された文字列を比較対象として入力する（ステップ３）。たとえば、比較対象として「Ｂ社製スマートフォン（型番０３）」，「Ｃ社製スマートフォン（型番Ｘ）」を入力する。
【００６０】
文の集合から比較対象に関する肯定評価を表す表現が含まれる第１文を特定する（ステップ４）。たとえば、（ａ１），（ｂ１），（ｃ１），（ｄ１）の前半，（ｅ１）を第１文として特定する。
【００６１】
同時に第１文、または、第１文の前後の文（第２文）から、評価対象および、肯定評価に対応する否定評価を表す表現を特定する（ステップ５）。たとえば、第１文である（ａ１），（ｂ１），（ｃ１）、および、（ｄ１）の後半である第２文から、評価対象＜Ａ社製スマートフォン（型番４）＞および否定評価を表す表現を特定する。
【００６２】
そして、（ａ１），（ｂ１），（ｃ１），（ｄ１）を不満文として抽出し（ステップ６）、格納する（ステップ７）。
【００６３】
これらの処理は、不満抽出装置のプログラムにより実行される。
【００６４】
〜効果〜
本実施形態の不満抽出装置により、比較対象の肯定評価と評価対象の否定評価が対比表現で記載された不満文を抽出できる。このような不満文には、「使用者は、比較対象については基準を超えていると考えているが、評価対象については基準を超えていないと考えている」との絶対評価が黙示的に記載されている。
【００６５】
すなわち、製品開発者は、比較対象で肯定評価された諸機能を評価対象に付加すれば、使用者の満足する基準を超える改善をすることができる。たとえば、Ａ社製スマートフォン（型番４）に電子マネー機能，ＦＭ送信機能，音楽ファイル再生機能を付加し、画面の画質を改善すればよい。当該機能は比較対象であるＢ社製スマートフォン（型番０３）やＣ社製スマートフォン（型番Ｘ）において既に実現しており、評価対象に当該機能を追加することに技術的な課題はほとんどない。
【００６６】
このように、製品開発者は、使用者の不満を製品改善および新製品開発に直ちにフィードバックすることができる。
【００６７】
〜変形例〜
図３は、変形例に係る不満抽出装置の機能ブロック図であり、図４は、変形例に係る不満抽出装置の処置内容を示すフローチャートである。
【００６８】
本実施形態においては、比較対象入力部１０３が、キーボードなどにより入力された文字列を比較対象として入力する（ステップ３）が、変形例においては、比較対象特定部１１０が上位下位関係辞書１１１を参照して評価対象に対応する比較対象を特定している（ステップ８）。
【００６９】
図５は、上位下位関係辞書１１１の構造を示す図である。「電話」の下位語として「スマートフォン」，「携帯電話」，「固定電話」が存在する。「スマートフォン」の下位語として「Ａ社製スマートフォン（型番４）」，「Ｂ社製スマートフォン（型番０３）」，「Ｃ社製スマートフォン（型番Ｘ）」などが存在する。逆に、「Ａ社製スマートフォン（型番４）」，「Ｂ社製スマートフォン（型番０３）」，「Ｃ社製スマートフォン（型番Ｘ）」の上位語として、「スマートフォン」が存在し、「スマートフォン」の上位語として、「電話」が存在するということもできる。
【００７０】
上位下位関係を構築するには、高度言語情報融合フォーラムで配布している上位下位関係抽出ツールなどを利用することができる。
【００７１】
「Ａ社製スマートフォン（型番４）」，「Ｂ社製スマートフォン（型番０３）」，「Ｃ社製スマートフォン（型番Ｘ）」は、上位語「スマートフォン」を同じくする同種語である。
【００７２】
比較対象特定部１１０は、評価対象の上位語を特定し、この上位語の下位語を比較対象と特定する。たとえば、評価対象「Ａ社製スマートフォン（型番４）」の上位語として、「スマートフォン」を特定し、「スマートフォン」の下位語である「Ｂ社製スマートフォン（型番０３）」，「Ｃ社製スマートフォン（型番Ｘ）」を比較対象として特定する。そして、評価対象を表す語からN形態素以内に比較対象を表す語が出現するか否かを確認し、比較対象を抽出する。ここで、Nは共起する範囲を表し、Nは任意の値とする（例えば、Ｎ＝１００と設定）。
【００７３】
比較対象特定部１１０により、比較対象を入力する手間を省くことができる。さらに、比較対象特定部１１０は、比較対象が評価対象の近傍に出現することを要求するため、不満文をより精度よく抽出することができる。
【００７４】
〜第２変形例〜
図６は、別の変形例に係る不満抽出装置の機能ブロック図であり、図７は、別の変形例に係る不満抽出装置の処置内容を示すフローチャートである。
【００７５】
第２変形例の不満抽出装置の構成は、第１実施形態の不満抽出装置の構成に、逆接表現確認部１１２を付加したものである。
【００７６】
たとえば、上記（ａ１），（ｂ１），（ｃ１），（ｄ１），（ｅ１），（ｆ１），（ｇ１）の各文を含む文の集合を取得する（ステップ１）。
【００７７】
一方、評価対象として「Ａ社製スマートフォン（型番４）」を入力し（ステップ２）、比較対象として「Ｂ社製スマートフォン（型番０３）」，「Ｃ社製スマートフォン（型番Ｘ）」を入力する（ステップ３）。
【００７８】
文の集合から比較対象に関する肯定評価を表す表現が含まれる、（ａ１），（ｂ１），（ｃ１），（ｄ１）の前半，（ｅ１）を第１文として特定する（ステップ４）。
【００７９】
同時に、第１文である（ａ１），（ｂ１），（ｃ１）、および、（ｄ１）の後半である第２文から、評価対象＜Ａ社製スマートフォン（型番４）＞および否定評価を表す表現を特定する（ステップ５）。
【００８０】
更に、逆接表現確認部１１２は、第１文に含まれる肯定評価の前後に逆接を表す表現があるか、または、第２文に含まれる否定評価の前後に逆接を表す表現があるかを確認する（ステップ９）。逆接表現か否かは、逆接表現辞書１１３を参照して、判定する。逆接表現を≪  ≫で示す。
（ａ１）Ｂ社製スマートフォン（型番０３）の場合、電子マネー機能を使うことができる≪が、≫Ａ社製スマートフォン（型番４）では電子マネー機能を使うことができない。
（ｂ１）Ｂ社製スマートフォン（型番０３）のようにＦＭ送信機能を利用できる≪のだが、≫Ａ社製スマートフォン（型番４）ではＦＭ送信機能を利用できない。
（ｃ１）Ａ社製スマートフォン（型番４）は汚い≪が、≫Ｂ社製スマートフォン（型番０３）は画面が綺麗。
（ｄ１）Ｃ社製スマートフォン（型番Ｘ）では音楽ファイルを再生できる。Ａ社製スマートフォン（型番４）では再生できない。
【００８１】
すなわち、逆接表現確認部１１２は、第１文である（ａ１），（ｂ１），（ｃ１）から、逆接表現を特定する。
【００８２】
そして、（ａ１），（ｂ１），（ｃ１）を不満文として抽出し（ステップ６）、格納する（ステップ７）。
【００８３】
第２変形例によれば、（ｄ１）を不満文として抽出できない一方で、比較対象の肯定評価と評価対象の否定評価との対比表現からなる不満文を、より精度よく抽出できる。
【００８４】
なお、第２変形例においても、比較対象入力部１０３に変えて比較対象特定部１１０（ステップ８）としてもよい。
【００８５】
＜第２実施形態＞
〜構成〜
第２実施形態の構成について説明する。図８は、第２実施形態に係る不満抽出装置の機能ブロック図である。不満抽出装置は、文の集合を取得して格納する文集合取得部１０１と、改善する製品である評価対象を文字列として入力する評価対象入力部１０２と、評価対象に対応する比較対象を入力する比較対象入力部１０３と、比較対象のみに関する肯定評価を表す表現が含まれる文（第１文）を特定する肯定評価表現特定部１０４と、第１文に含まれる肯定評価の前後に逆接を表す表現があるか、または、第１文の前後の第２文に逆接を表す表現があるかを確認し、逆接表現を抽出する逆接表現抽出部１１４と、肯定評価，評価対象および逆接表現が含まれている第１文、または、肯定評価が含まれる第１文と評価対象および逆接表現が含まれている第２文とからなる連続する２文、または、肯定評価および逆接表現が含まれる第１文と評価対象が含まれている第２文とからなる連続する２文を抽出する不満文抽出部１１５と、抽出された不満文を格納する不満記憶部１０７を備えている。
【００８６】
文集合取得部１０１は、対象製品の購入者や使用者によって書かれた、ブログやインターネット掲示板や口コミサイトなどから、文の集合を取得し、格納する。
【００８７】
評価対象入力部１０２は、キーボードなどにより入力された文字列を評価対象として入力する。本実施形態では、一例として「Ａ社製スマートフォン（型番４）」を評価対象とする。
【００８８】
比較対象入力部１０３は、キーボードなどにより入力された文字列を比較対象として入力する。本実施形態では、たとえば、「Ｂ社製スマートフォン（型番０３）」や「Ｃ社製スマートフォン（型番Ｘ）」を比較対象とする。
【００８９】
比較対象入力部１０３に変えて比較対象特定部１１０（ステップ８）（第１実施形態第１変形例参照）としてもよい。
【００９０】
肯定評価表現特定部１０４は、文集合取得部１０１に格納された文の集合から、比較対象のみに関する肯定評価を表す表現が含まれる文（第１文）を特定する。肯定評価か否かは、肯定評価表現辞書１０８を参照して、判定する。
【００９１】
たとえば、以下の（ａ２），（ｂ２），（ｃ２），（ｄ２），（ｅ２），（ｆ２），（ｇ２）の各文を含む文の集合を想定する。比較対象を＜  ＞で、肯定評価を表す表現を〔  〕で示す。
（ａ２）＜Ｂ社製スマートフォン（型番０３）＞の場合、電子マネー機能を〔使うことができる〕が、Ａ社製スマートフォン（型番４）では電子マネー機能を使うことができない。
（ｂ２）Ａ社製スマートフォン（型番４）ではＦＭ送信機能を利用できない。しかし、＜Ｂ社製スマートフォン（型番０３）＞ではＦＭ送信機能を〔利用できる〕。
（ｃ２）＜Ｂ社製スマートフォン（型番０３）＞は画面が〔綺麗〕。しかし、Ａ社製スマートフォン（型番４）は汚い。
（ｄ２）＜Ｃ社製スマートフォン（型番Ｘ）＞では音楽ファイルを〔再生できる〕けど・・・。
（ｅ２）＜Ｃ社製スマートフォン（型番Ｘ）＞のデザインは〔未来的〕である。一方、Ａ社製スマートフォン（型番４）はシンプルです。
（ｆ２）＜Ｃ社製スマートフォン（型番Ｘ）＞もＡ社製スマートフォン（型番４）も画面が〔綺麗〕。でも、＜Ｂ社製スマートフォン（型番０３）＞はダメ。
【００９２】
すなわち、肯定評価表現特定部１０４は、（ａ２），（ｂ２）の後半，（ｃ２）の前半，（ｄ２），（ｅ２）の前半を比較対象のみに関する肯定評価を表す表現が含まれる文（第１文）として特定する。
【００９３】
なお、（ｆ２）においては、評価対象の肯定評価も含まれるため、（ｆ２）は除外される。
【００９４】
逆接表現抽出部１１４は、第１文に含まれる肯定評価の前後に逆接を表す表現があるか、または、第１文の前後の第２文に逆接を表す表現があるかを確認し、逆接表現を抽出する。逆接表現か否かは、逆接表現辞書１１３を参照して、判定する。たとえば、上記特定された（ａ２），（ｂ２），（ｃ２），（ｄ２），（ｅ２）の各文を想定する。逆接表現を≪  ≫で示す。
（ａ２）Ｂ社製スマートフォン（型番０３）の場合、電子マネー機能を使うことができる≪が、≫Ａ社製スマートフォン（型番４）では電子マネー機能を使うことができない。
（ｂ２）Ａ社製スマートフォン（型番４）ではＦＭ送信機能を利用できない。≪しかし、≫Ｂ社製スマートフォン（型番０３）ではＦＭ送信機能を利用できる。
（ｃ２）Ｂ社製スマートフォン（型番０３）は画面が綺麗。≪しかし、≫Ａ社製スマートフォン（型番４）は汚い。
（ｄ２）Ｃ社製スマートフォン（型番Ｘ）では音楽ファイルを再生できる≪けど≫・・・。
（ｅ２）Ｃ社製スマートフォン（型番Ｘ）のデザインは未来的である。一方、Ａ社製スマートフォン（型番４）はシンプルです。
【００９５】
すなわち、逆接表現抽出部１１４は、第１文からなる（ａ２），（ｄ２）および（ｂ２）の第２文，（ｃ２）の第２文から、逆接表現を抽出する。
【００９６】
なお、（ｅ２）においては、「一方、」の表現が逆接表現でないので、（ｅ２）は除外される。
【００９７】
不満文抽出部１１５は、肯定評価，評価対象および逆接表現が含まれている第１文である（ａ２），肯定評価および逆接表現が含まれる第１文と評価対象が含まれている第２文とからなる連続する２文（ｂ２），肯定評価が含まれる第１文と評価対象および逆接表現が含まれている第２文とからなる連続する２文（ｃ２）を不満文として抽出する。
【００９８】
なお、（ｄ２）においては、評価対象がないため、（ｄ２）は除外される。
【００９９】
不満記憶部１０７は、不満文（ａ２），（ｂ２），（ｃ２）を格納する。
【０１００】
製品の開発者は、不満記憶部１０７にアクセスし、不満を参照することによって、製品改善に直ちにフィードバックする。
【０１０１】
〜動作〜
図９は、不満抽出装置の処置内容を示すフローチャートである。フローチャートを用いて、不満抽出装置の動作を説明する。
【０１０２】
まず、対象製品の購入者や使用者によって書かれた、ブログやインターネット掲示板や口コミサイトなどから、文の集合を取得し、格納する（ステップ１）。たとえば、上記（ａ２），（ｂ２），（ｃ２），（ｄ２），（ｅ２），（ｆ２）の各文を含む文の集合を取得する。
【０１０３】
一方、キーボードなどにより入力された文字列を評価対象として入力する（ステップ２）。たとえば、評価対象として「Ａ社製スマートフォン（型番４）」を入力する。また、キーボードなどにより入力された文字列を比較対象として入力する（ステップ３）。たとえば、比較対象として「Ｂ社製スマートフォン（型番０３）」，「Ｃ社製スマートフォン（型番Ｘ）」を入力する。
【０１０４】
文の集合から比較対象に関する肯定評価を表す表現が含まれる第１文を特定する（ステップ４）。たとえば、（ａ２），（ｂ２）の後半，（ｃ２）の前半，（ｄ２），（ｅ２）の前半を第１文として特定する。
【０１０５】
同時に、第１文に含まれる肯定評価の前後に逆接を表す表現があるか、または、第１文の前後の第２文に逆接を表す表現があるかを確認し、逆接表現を抽出する（ステップ１０）。たとえば、第１文からなる（ａ２），（ｄ２）および（ｂ２）の第２文，（ｃ２）の第２文から、逆接表現を抽出する。
【０１０６】
そして、（肯定評価，評価対象および逆接表現が含まれている第１文である（ａ２），肯定評価および逆接表現が含まれる第１文と評価対象が含まれている第２文とからなる連続する２文（ｂ２），肯定評価が含まれる第１文と評価対象および逆接表現が含まれている第２文とからなる連続する２文（ｃ２）を不満文として抽出し（ステップ１１）、格納する（ステップ７）。
【０１０７】
〜効果〜
本実施形態の不満抽出装置は、比較対象の肯定評価と評価対象と逆接表現とが記載された不満文を抽出することにより、比較対象の肯定評価の前後に共起する評価対象の否定評価を推測する。すなわち、抽出された不満文は、比較対象の肯定評価と評価対象の否定評価が対比表現で記載されている可能性が高い。
【０１０８】
その結果、第１実施形態と同様な効果が得られる。
【０１０９】
＜第３実施形態＞
〜構成〜
第３実施形態の構成について説明する。図１０は、第３実施形態に係る不満抽出装置の機能ブロック図である。不満抽出装置は、改善する製品である評価対象に関する文の集合を取得して格納する文集合取得部１１６と、上位下位関係辞書１１１を参照して評価対象に対応する比較対象を特定する比較対象特定部１１０と、比較対象のみに関する肯定評価を表す表現が含まれる文（第１文）を特定する肯定評価表現特定部１０４と、第１文に含まれる肯定評価の前後に逆接を表す表現があるか、または、第１文の前後の第２文に逆接を表す表現があるかを確認し、逆接表現を抽出する逆接表現抽出部１１４と、肯定評価および逆接表現が含まれている第１文、または、肯定評価が含まれる第１文と逆接表現が含まれている第２文とからなる連続する２文を抽出する不満文抽出部１１７と、抽出された不満文を格納する不満記憶部１０７を備えている。
【０１１０】
文集合取得部１１６は、対象製品の購入者や使用者によって書かれた、評価対象「Ａ社製スマートフォン（型番４）」に関するブログやインターネット掲示板や口コミサイトなどから、文の集合を取得し、格納する。
【０１１１】
比較対象特定部１１０は、上位下位関係辞書１１１を参照して評価対象に対応する比較対象を特定する。たとえば、「Ｂ社製スマートフォン（型番０３）」や「Ｃ社製スマートフォン（型番Ｘ）」を比較対象とする。
【０１１２】
肯定評価表現特定部１０４は、文集合取得部１０１に格納された文の集合から、比較対象のみに関する肯定評価を表す表現が含まれる文（第１文）を特定する。肯定評価か否かは、肯定評価表現辞書１０８を参照して、判定する。
【０１１３】
たとえば、以下の（ａ２），（ｂ２），（ｃ２），（ｄ２），（ｅ２），（ｆ２），（ｇ２）の各文を含む文の集合を想定する。比較対象を＜  ＞で、肯定評価を表す表現を〔  〕で示す。
（ａ２）＜Ｂ社製スマートフォン（型番０３）＞の場合、電子マネー機能を〔使うことができる〕が、Ａ社製スマートフォン（型番４）では電子マネー機能を使うことができない。
（ｂ２）Ａ社製スマートフォン（型番４）ではＦＭ送信機能を利用できない。しかし、＜Ｂ社製スマートフォン（型番０３）＞ではＦＭ送信機能を〔利用できる〕。
（ｃ２）＜Ｂ社製スマートフォン（型番０３）＞は画面が〔綺麗〕。しかし、Ａ社製スマートフォン（型番４）は汚い。
（ｄ２）＜Ｃ社製スマートフォン（型番Ｘ）＞では音楽ファイルを〔再生できる〕けど・・・。
（ｅ２）＜Ｃ社製スマートフォン（型番Ｘ）＞のデザインは〔未来的〕である。一方、Ａ社製スマートフォン（型番４）はシンプルです。
（ｆ２）＜Ｃ社製スマートフォン（型番Ｘ）＞もＡ社製スマートフォン（型番４）も画面が〔綺麗〕。でも、＜Ｂ社製スマートフォン（型番０３）＞はダメ。
【０１１４】
すなわち、肯定評価表現特定部１０４は、（ａ２），（ｂ２）の後半，（ｃ２）の前半，（ｄ２），（ｅ２）の前半を比較対象のみに関する肯定評価を表す表現が含まれる文（第１文）として特定する。
【０１１５】
なお、（ｆ２）においては、評価対象の肯定評価も含まれるため、（ｆ２）は除外される。
【０１１６】
逆接表現抽出部１１４は、第１文に含まれる肯定評価の前後に逆接を表す表現があるか、または、第１文の前後の第２文に逆接を表す表現があるかを確認し、逆接表現を抽出する。逆接表現か否かは、逆接表現辞書１１３を参照して、判定する。たとえば、上記特定された（ａ２），（ｂ２），（ｃ２），（ｄ２），（ｅ２）の各文を想定する。逆接表現を≪  ≫で示す。
（ａ２）Ｂ社製スマートフォン（型番０３）の場合、電子マネー機能を使うことができる≪が、≫Ａ社製スマートフォン（型番４）では電子マネー機能を使うことができない。
（ｂ２）Ａ社製スマートフォン（型番４）ではＦＭ送信機能を利用できない。≪しかし、≫Ｂ社製スマートフォン（型番０３）ではＦＭ送信機能を利用できる。
（ｃ２）Ｂ社製スマートフォン（型番０３）は画面が綺麗。≪しかし、≫Ａ社製スマートフォン（型番４）は汚い。
（ｄ２）Ｃ社製スマートフォン（型番Ｘ）では音楽ファイルを再生できる≪けど≫・・・。
（ｅ２）Ｃ社製スマートフォン（型番Ｘ）のデザインは未来的である。一方、Ａ社製スマートフォン（型番４）はシンプルです。
【０１１７】
すなわち、逆接表現抽出部１１４は、第１文からなる（ａ２），（ｄ２）および（ｂ２）の第２文，（ｃ２）の第２文から、逆接表現を抽出する。
【０１１８】
なお、（ｅ２）においては、「一方、」の表現が逆接表現でないので、（ｅ２）は除外される。
【０１１９】
不満文抽出部１１７は、肯定評価および逆接表現が含まれている第１文である（ａ２），（ｄ２），肯定評価および逆接表現が含まれる第１文を含む連続する２文（ｂ２），肯定評価が含まれる第１文と逆接表現が含まれている第２文とからなる連続する２文（ｃ２）を不満文として抽出する。
【０１２０】
不満記憶部１０７は、不満文（ａ２），（ｂ２），（ｃ２）（ｄ２）を格納する。
【０１２１】
製品の開発者は、不満記憶部１０７にアクセスし、不満を参照することによって、製品改善に直ちにフィードバックする。
【０１２２】
〜動作〜
図１１は、不満抽出装置の処置内容を示すフローチャートである。フローチャートを用いて、不満抽出装置の動作を説明する。
【０１２３】
まず、対象製品の購入者や使用者によって書かれた、評価対象「Ａ社製スマートフォン（型番４）」に関するブログやインターネット掲示板や口コミサイトなどから、文の集合を取得し、格納する（ステップ１２）。たとえば、上記（ａ２），（ｂ２），（ｃ２），（ｄ２），（ｅ２），（ｆ２）の各文を含む文の集合を取得する。
【０１２４】
上位下位関係辞書１１１を参照して評価対象に対応する比較対象を特定する（ステップ８）。たとえば、比較対象として「Ｂ社製スマートフォン（型番０３）」，「Ｃ社製スマートフォン（型番Ｘ）」を特定する。
【０１２５】
文の集合から比較対象に関する肯定評価を表す表現が含まれる第１文を特定する（ステップ４）。たとえば、（ａ２），（ｂ２）の後半，（ｃ２）の前半，（ｄ２），（ｅ２）の前半を第１文として特定する。
【０１２６】
同時に、第１文に含まれる肯定評価の前後に逆接を表す表現があるか、または、第１文の前後の第２文に逆接を表す表現があるかを確認し、逆接表現を抽出する（ステップ１０）。たとえば、第１文からなる（ａ２），（ｄ２）および（ｂ２）の第２文，（ｃ２）の第２文から、逆接表現を抽出する。
【０１２７】
そして、肯定評価および逆接表現が含まれている第１文である（ａ２），（ｄ２），肯定評価および逆接表現が含まれる第１文を含む連続する２文（ｂ２），肯定評価が含まれる第１文と評価対象および逆接表現が含まれている第２文とからなる連続する２文（ｃ２）を不満文として抽出し（ステップ１３）、格納する（ステップ７）。
【０１２８】
〜効果〜
第２実施形態の不満抽出装置は、（ｄ２）において評価対象がないため、（ｄ２）を抽出することができなかった。評価対象「Ａ社製スマートフォン（型番４）」に関するブログやインターネット掲示板や口コミサイトなどでは、評価対象に関する話題であることが前提であり、評価対象が省略されていることも多い。
【０１２９】
本実施形態において、文集合取得部１１６は、評価対象「Ａ社製スマートフォン（型番４）」に関するブログやインターネット掲示板や口コミサイトなどから、文の集合を取得する。
【０１３０】
したがって、不満文抽出部１１７は、（ｄ２）の逆接表現の前後において、評価対象の記載が省略されていると推測し、（ｄ２）を不満文として抽出できる。また、文集合取得部１１６により、評価対象を入力する手間を省くことができる。
【０１３１】
その他の効果は、第２実施形態と同様である。
【符号の説明】
【０１３２】
１０１  文集合取得部
１０２  評価対象入力部
１０３  比較対象入力部
１０４  肯定評価表現特定部
１０５  否定評価表現特定部
１０６  不満文抽出部
１０７  不満記憶部
１０８  肯定評価表現辞書
１０９  否定評価表現辞書
１１０  比較対象特定部（第１変形例）
１１１  上位下位関係辞書（第１変形例）
１１２  逆接表現確認部（第２変形例）
１１３  逆接表現辞書（第２変形例）
１１４  逆接表現抽出部（第２実施形態）
１１５  不満文抽出部（第２実施形態）
１１６  文集合取得部（第３実施形態）
１１７  不満文抽出部（第３実施形態）
【図１】
0005884977.tif 000002
【図２】
0005884977.tif 000003
【図３】
0005884977.tif 000004
【図４】
0005884977.tif 000005
【図５】
0005884977.tif 000006
【図６】
0005884977.tif 000007
【図７】
0005884977.tif 000008
【図８】
0005884977.tif 000009
【図９】
0005884977.tif 000010
【図１０】
0005884977.tif 000011
【図１１】
0005884977.tif 000012